(57)【特許請求の範囲】
【請求項１】
外箱と内箱との間の空間に断熱材を発泡充填して形成されている貯蔵庫の断熱箱体において、
前記外箱の左右両側面および背面が、耐熱性を具備する柔軟なシートで構成され、このシートと内箱との間の空間に前記断熱材が発泡充填され、
かつ、前記外箱の背面の左右両側には各々、支柱が設けられており、
断熱箱体の側面を覆っている飾り板が、前記支柱に固着手段で固定されていることを特徴とする貯蔵庫の断熱箱体。
【請求項２】
前記外箱の天板が金属板で構成されていることを特徴とする請求項１記載の貯蔵庫の断熱箱体。
【請求項３】
前記外箱の底板が金属板で構成されていることを特徴とする請求項１または２記載の貯蔵庫の断熱箱体。
【請求項４】
外箱の左右両側面および背面を構成する前記シートが前記支柱の庫外側の側面に沿って案内されて設けられていることを特徴とする請求項１、２または３記載の貯蔵庫の断熱箱体。
【発明の詳細な説明】
【０００１】
【発明の属する技術分野】
本発明は、冷蔵庫、冷凍庫や温蔵庫などの様に庫内が温度調整されている貯蔵庫の本体を構成する断熱箱体に関する。
【０００２】
【従来の技術】
従来この種の貯蔵庫の断熱箱体は、たとえば特公平６−５２１５０号公報（Ｆ２５Ｄ２３／０８）などに記載されており、内箱と外箱との間にウレタンなどの合成樹脂からなる断熱材を注入発泡させて製作されている。そして、この内箱および外箱は、ステンレス板、亜鉛鋼板や塩化ビニール鋼板などの鋼板で構成されている。
【０００３】
【発明が解決しようとする課題】
ところで、貯蔵庫が寿命になると、廃棄されるが、そのままでは嵩張るので、解体される。しかしながら、断熱箱体の全面に設けられている鋼板は強度が大きく、かつ、鋼板の内側には断熱材が付着しているので、簡単には剥がすことができない。そこで、この鋼板をバーナーやロータリーカッターなどの切断装置で切断するが、この切断時に熱が発生し、この熱で内側の断熱材が発火する虞がある。したがって、この様な切断装置の取扱には注意を要し、鋼板の切断作業を簡単に行うことができない。この様に、断熱箱体の表面を構成する鋼板を取り外すことが困難であるため、断熱箱体を解体する事は容易ではない。
【０００４】
また、外箱および内箱が鋼板で構成されていると、断熱箱体が重くなり、運搬等に支障をきたす。
【０００５】
本発明は、以上のような課題を解決するためのもので、解体が容易な貯蔵庫の断熱箱体を提供することを目的とする。さらに、軽量化された貯蔵庫の断熱箱体を提供することを二次的目的とする。
【０００６】
【課題を解決するための手段】
本発明の貯蔵庫（１）の断熱箱体（２）は、外箱（４）と内箱（５）との間の空間に断熱材（６）を発泡充填して形成されている。そして、前記目的を達成するために、本発明の断熱箱体においては、外箱の左右両側面および背面が、耐熱性を具備する柔軟なシート（２１）で構成され、このシートと内箱との間の空間に前記断熱材が発泡充填され、かつ、前記外箱の背面の左右両側には各々、支柱（１８）が設けられており、断熱箱体の側面を覆っている飾り板（３１）が、前記支柱に固着手段（３２）で固定されている。
【０００７】
また、外箱の天板（１６）は金属板で構成されている場合がある。
さらに、外箱の底板（１７）は金属板で構成されている場合がある。
【０００８】
【０００９】
また、外箱の左右両側面および背面を構成する前記シートが前記支柱の庫外側の側面に沿って案内されて設けられている場合がある。
【００１０】
【００１１】
【００１２】
【発明の実施の形態】
次に、本発明における貯蔵庫の断熱箱体の実施の一形態を図１ないし図９を用いて説明する。図１は本発明における貯蔵庫の正面図である。図２は図１の貯蔵庫の断熱箱体の横断面図である。図３は図２の各コーナー部の拡大断面図である。図４は図１の貯蔵庫の断熱箱体の縦断面図である。図５は図４の各コーナー部の拡大断面図である。図６は断熱箱体の組み立て分解斜視図である。図７は飾り板を取り付けた状態における断熱箱体の横断面図である。図８は冷却機を取り付けた状態における断熱箱体の縦断面図である。図９は扉を取り付けた状態における断熱箱体の横断面図である。
【００１３】
図１ないし図６において、貯蔵庫としての業務用縦型冷蔵庫１の貯蔵庫本体である断熱箱体２は、外箱４と内箱５とを備えており、この外箱４と内箱５との間の空間にウレタンなどの断熱材６を注入発泡させて形成されている。
【００１４】
そして、内箱５はステンレス板、亜鉛鋼板や塩化ビニール鋼板などの鋼板で構成されており、左右側面および後面を構成するコの字状の側板１１と、上面を構成する天井板１２と、下面を構成する床板１３とからなっている。そして、この側板１１、天井板１２および床板１３をスポット溶接して内箱５は形成されている。また、天井板１２には図４に図示するように、開口１２ａが形成されている。
【００１５】
一方、外箱４は、上面が鋼板製の天板１６で、また、下面が鋼板製の底板１７で構成されている。この天板１６には、図４に図示するように、天井板１２の開口１２ａに対向する位置に、開口１６ａが形成されている。そして、外箱４の背面側の左右両側すなわちコーナー部には、支柱としてのＬ型の押し出し材１８が立設している。この樹脂製の押し出し材１８のＬ字の角部が、外箱４の背面のコーナー部の角部となるように配置されている。この押し出し材１８は、断熱材６が注入発泡される際に位置ずれをおこさないように、天板１６および底板１７に取り付けられて支持されている。また、外箱４の左右側面および背面は一枚の柔軟なシート２１で構成されている。このシート２１は、樹脂製シート（たとえば軟質の塩ビシート）などであり、断熱材６を注入発泡する際の熱に耐える耐熱性を具備し、かつ、清掃時などの水に耐える耐水性を具備している。
【００１６】
また、断熱箱体２の前端部には鋼板を板金加工した門構え２３が配置されている。この門構え２３は、図６に図示するように、略矩形の外枠２３ａと、この外枠２３ａの中側に略十字状に取り付けられている内枠２３ｂとからなっている。
【００１７】
そして、図６において、断熱箱体２を製造する際には、断熱箱体２の前端部が作業台（図示しない）に載置される状態で製造される。すなわち、門構え２３を作業台に置き、この門構え２３の両端部に天板１６および底板１７を配置し、この天板１６と底板１７との間に内箱５を配置する。この内箱５と門構え２３とは図３および図５に図示するように、断熱性を具備する合成樹脂製のブレーカー２４で連結されている。また、天板１６の開口１６ａの端部と内箱５の天井板１２の開口１２ａの端部とはブレーカー２５で連結されて閉塞されている。ついで、一対の押し出し材１８を天板１６および底板１７に取り付ける。そして、シート２１の一方の前端部２１ａを門構え２３に接着剤などで接着し、押し出し材１８の外側の側面（庫外側に向いている側面）に沿って案内して、シート２１の反対側の前端部２１ａを門構え２３に達するように、シート２１を張り、シート２１の前端部２１ａを門構え２３に接着する。また、シート２１を張る際には、押し出し材１８の外側の側面に接着剤を塗布しておき、シート２１が押し出し材１８に接着される様にしておく。
【００１８】
そして、断熱材６の注入発泡の際に、シート２１が外側に膨らんで変形しないように、シート２１の回りに変形防止用の治具（図示しない）が配置され、その後、外箱４と内箱５との間の空間に硬質発泡ウレタンなどの断熱材６が注入発泡されるとともに、門構え２３の内部にも断熱材６が充填される。この様にして、断熱箱体２は製造される。なお、２６は排水口、２７は棚支持用の金具である。
【００１９】
この様にして組み立てられた断熱箱体２の側面に、図７に図示する飾り板３１を取り付ける際には、鋼板や樹脂板からなる飾り板３１の端部を押し出し材１８および門構え２３に、固着手段であるビス３２などで固定する。
【００２０】
また、図８において、天板１６の開口１６ａと内箱５の天井板１２の開口１２ａとで構成された断熱箱体２の開口２ａに、断熱材からなる冷凍機搭載台３６が取り付けられている。この冷凍機搭載台３６の上面には凝縮器３８、凝縮器用送風機３９および圧縮機４１が載置されている。一方、冷凍機搭載台３６の下面には冷却器４２および冷却器用送風機４３が垂下している。これらの凝縮器３８、凝縮器用送風機３９、圧縮機４１、冷却器４２および冷却器用送風機４３が冷凍機を構成しており、この冷凍機が冷蔵庫１の庫内を冷却する。
【００２１】
さらに、図９において、断熱箱体２の門構え２３の左右両側には、断熱扉である扉４６が図示しないヒンジ機構により回動自在にビスなどの固着手段で取り付けられている。この扉４６の庫内側すなわち断熱箱体２側の面の周縁には、パッキン４８が設けられており、このパッキン４８の先端部には磁石４８ａが設けられている。そして、扉４６が閉じている状態では、パッキン４８が扉４６と断熱箱体２との隙間を密封している。その際に、パッキン４８の磁石４８ａが鋼板製の門構え２３に磁気吸着して、パッキン４８の密封が確実に行われるようにしている。また、門構え２３が鋼板で構成されているので、見栄えが良好となる。そして、扉４６は、図１に図示するように、上下左右に各１個ずつ計４枚設けられている。なお、図１において、５１は扉４６の把手、５２は排水パイプ、また、５３は冷蔵庫１の支持脚である。
【００２２】
前述のように実施の形態では、支柱である押し出し材１８の角部が、断熱箱体２の背面の左右両側の角部に位置しており、この押し出し材１８の角部に沿って、シート２１が案内されて張られている。この様に押し出し材１８でシート２１の角部は位置決めされているので、シート２１は柔軟で変形しやすいが、所定の角部の形状を保持することができる。
【００２３】
また、外箱４をシート２１で構成しているので、鋼板で構成した場合よりも、軽量化することができるとともに、製造コストを削減することができる。そして、断熱箱体２を解体する際にも、外箱４がシート２１で構成されているので、簡単に分解することができる。
【００２４】
さらに、底板１７が鋼板で構成されているので、支持脚５３を底板１７に取り付けることができる。また、断熱箱体２の荷重や、庫内に収納された商品などの荷重を受ける強度を確保することができる。
【００２５】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）本発明は、冷蔵庫以外の他の形式、たとえば、冷凍・冷蔵ショーケース、冷凍庫や温蔵庫などの様に庫内が温度調整されている貯蔵庫に適用可能である。
【００２６】
（２）実施の形態においては、扉４６は４枚設けられているが、その枚数などは適宜変更可能である。
（３）実施の形態においては、飾り板３１を押し出し材１８に固定する固着手段は、ビスであるが、ボルトとナットなどでも可能である。
【００２７】
（４）内箱の材質および製造方法などは、適宜変更可能である。
（５）実施の形態においては、シート２１は一枚であるが、複数のシートを用いることも可能である。また、シート２１は押し出し材１８および門構え２３に接着されているが、必ずしも接着されている必要はない。
【００２８】
【発明の効果】
本発明によれば、外箱の左右両側面および背面が耐熱性を具備する柔軟なシートで構成されているので、このシートを破って外箱を破壊することができる。この様にして、外箱を破壊すると、断熱材は簡単に外すことができるので、断熱箱体を簡単に解体することができる。また、シートは鋼板よりも軽いので、断熱箱体を軽量化することができる。さらに、断熱箱体の側面を覆っている飾り板が、支柱に固着手段で固定されており、この飾り板で断熱箱体の外観を顧客の要求に応じたものに適宜変更することができる。
【００２９】
また、外箱の天板は金属板で構成されている場合がある。この場合には、前述の様に外箱の左右両側面および背面がシートで構成されて断熱箱体が解体容易であるにも係わらず、天板は強度のある金属板で構成されているので、天板上に冷凍機などの重量のある部材を搭載することができる。
【００３０】
さらに、外箱の底板は金属板で構成されている場合がある。この場合にも、前述の様に外箱の左右両側面および背面がシートで構成されて断熱箱体が解体容易であるにも係わらず、底板は強度のある金属板で構成されているので、断熱箱体の荷重を支えることができる。
【００３１】
また、外箱の左右両側面および背面を構成する前記シートが前記支柱の庫外側の側面に沿って案内されて設けられている場合がある。この場合には、この支柱で、シートが位置決めされる。したがって、シートは柔軟で変形しやすいが、断熱箱体の後側のコーナー部の角部を所定の形状とすることができる。
【図面の簡単な説明】
【図１】  図１は本発明における貯蔵庫の正面図である。
【図２】  図２は図１の貯蔵庫の断熱箱体の横断面図である。
【図３】  図３は図２の各コーナー部の拡大断面図である。
【図４】  図４は図１の貯蔵庫の断熱箱体の縦断面図である。
【図５】  図５は図４の各コーナー部の拡大断面図である。
【図６】  図６は断熱箱体の組み立て分解斜視図である。
【図７】  図７は飾り板を取り付けた状態における断熱箱体の横断面図である。
【図８】  図８は冷却機を取り付けた状態における断熱箱体の縦断面図である。
【図９】  図９は扉を取り付けた状態における断熱箱体の横断面図である。
【符号の説明】
１  冷蔵庫（貯蔵庫）
２  断熱箱体
４  外箱
５  内箱
６  断熱材
１６  天板
１７  底板
１８  押し出し材（支柱）
２１  シート
２３  門構え
３１  飾り板
３２  ビス（固着手段）
４８  パッキン
４８ａ  磁石
【図１】
0003717591.tif 000002
【図２】
0003717591.tif 000003
【図３】
0003717591.tif 000004
【図４】
0003717591.tif 000005
【図５】
0003717591.tif 000006
【図６】
0003717591.tif 000007
【図７】
0003717591.tif 000008
【図８】
0003717591.tif 000009
【図９】
0003717591.tif 000010